(57)【特許請求の範囲】
【請求項１】
光を被読取媒体に向けて照射する光源と、
前記光源から照射されて前記被読取媒体で反射した光に基づいて、前記被読取媒体を撮像するイメージセンサと、
前記被読取媒体を挟んで前記光源とは反対側に設けられ、前記光源から照射された光のうち、前記被読取媒体に照射されない光を直接前記イメージセンサに入射させる導光部と、
を備え、
前記導光部は、
前記イメージセンサによる前記被読取媒体の撮像時に、前記光源から照射されて前記被読取媒体を透過した光のうち、前記イメージセンサに入射される光を低減するものであり、
前記光源から照射された光のうち、前記被読取媒体に照射されずに入射された光を前記イメージセンサに導くように反射する反射部と、
前記被読取媒体と直交する方向において前記反射部と前記イメージセンサとの間に設けられ、前記光源から照射されて前記被読取媒体を透過して前記反射部で反射された光の前記イメージセンサへの入射量を低減する遮蔽部と、
を含み、
前記遮蔽部は、前記被読取媒体を透過した光の前記反射部への入射量を低減することを特徴とする画像読取装置。
【請求項２】
前記光源からの前記光が前記反射部に入射する入射角θと、
前記反射部のうち前記光源からの光が入射する入射部と前記被読取媒体との間の距離Ａと、
前記イメージセンサの主走査方向と直交する面内における距離であって、前記反射部で反射された光の経路と、前記イメージセンサ側に配置された前記遮蔽部のうち前記被読取媒体側の端部と、の間の最小の距離Ｄと、
は、
Ｄ＜Ａ・ｔａｎ（２θ）／（１−ｔａｎ（θ）・ｔａｎ（２θ））
を満たすことを特徴とする請求項１に記載の画像読取装置。
【請求項３】
前記イメージセンサの主走査方向と直交する面内での寸法であって、前記反射部のうち前記光源からの前記光が入射される入射部と、前記反射部の端部のうち前記イメージセンサ側の端部と、の間の寸法Ｃと、
前記光源からの前記光が前記反射部に入射する入射角θと、
前記入射部と前記被読取媒体との間の距離Ａと、は、
Ｃ＜Ａ・ｔａｎ（２θ）／［ｃｏｓ（θ）＋ｓｉｎ（θ）・ｔａｎ（θ）］
を満たすことを特徴とする請求項１または請求項２に記載の画像読取装置。
【請求項４】
光を被読取媒体に向けて照射する光源と、
前記光源から照射されて前記被読取媒体で反射した光に基づいて、前記被読取媒体を撮像するイメージセンサと、
前記被読取媒体を挟んで前記光源とは反対側に設けられ、前記光源から照射された光のうち、前記被読取媒体に照射されない光を直接前記イメージセンサに入射させる導光部と、
を備え、
前記導光部は、
前記イメージセンサによる前記被読取媒体の撮像時に、前記光源から照射されて前記被読取媒体を透過した光のうち、前記イメージセンサに入射される光を低減するものであり、
前記光源から照射された光のうち、前記被読取媒体に照射されずに入射された光を前記イメージセンサに導くように反射する反射部を含み、
前記イメージセンサの主走査方向と直交する面内での寸法であって、前記反射部のうち前記光源からの前記光が入射される入射部と、前記反射部の端部のうち前記イメージセンサ側の端部と、の間の寸法Ｃと、
前記光源からの前記光が前記反射部に入射する入射角θと、
前記入射部と前記被読取媒体との間の距離Ａと、は、
Ｃ＜Ａ・ｔａｎ（２θ）／［ｃｏｓ（θ）＋ｓｉｎ（θ）・ｔａｎ（θ）］
を満たすことを特徴とする画像読取装置。
【請求項５】
前記光源と前記反射部との間に移動可能に設けられて、前記光源から照射された前記光を前記イメージセンサに導かれるように反射する色基準手段を備えることを特徴とする請求項１から請求項４のいずれか一項に記載の画像読取装置。
【請求項６】
前記イメージセンサと前記反射部との少なくとも一方が回動可能であることを特徴とする請求項１から請求項５のいずれか一項に記載の画像読取装置。
【請求項７】
前記導光部は、前記反射部と前記被読取媒体との間となる位置に設けられて、前記反射部に入射される外乱光を低減するプリズムを含むことを特徴とする請求項１から請求項６のいずれか一項に記載の画像読取装置。
【請求項８】
前記反射部は、前記被読取媒体側の面が湾曲した形状であることを特徴とする請求項１から請求項７のいずれか一項に記載の画像読取装置。
【発明の詳細な説明】
【技術分野】
【０００１】
本発明は、画像読取装置に関し、さらに詳しくは、裏写りの低減を図る画像読取装置に関するものである。
【背景技術】
【０００２】
画像読取装置は、例えば、特許文献１に開示されているように、被読取媒体（特許文献１中では媒体）の裏面に板状の表面鏡が配置されるものがある。特許文献１に開示されている装置は、薄めの被読取媒体の画像を明るく読み取ることを目的とした装置である。
【先行技術文献】
【特許文献】
【０００３】
【特許文献１】特開平０２−２４２３９０号公報
【発明の概要】
【発明が解決しようとする課題】
【０００４】
特許文献１に開示されている技術の場合、表面鏡は、光源から照射された光以外にも、被読取媒体や装置の各部で乱反射された光が導かれる。この乱反射された光が被読取媒体を透過してイメージセンサに導かれると、イメージセンサは、被読取媒体の裏面の画像まで読み取ることになる。これにより、特許文献１に開示されている技術は、被読取媒体の裏面の画像が、被読取媒体の表面（読取面）に写りこんだ画像を読み取るおそれ、すなわちいわゆる裏写りのおそれがある。
【０００５】
本発明は、上記に鑑みてなされたものであって、裏写りを低減することを目的とする。
【課題を解決するための手段】
【０００６】
上述した課題を解決し、目的を達成するために、本発明に係る画像読取装置は、光を被読取媒体に向けて照射する光源と、前記光源から照射されて前記被読取媒体で反射した光に基づいて、前記被読取媒体を撮像するイメージセンサと、前記被読取媒体を挟んで前記光源とは反対側に設けられ、前記光源から照射された光のうち、前記被読取媒体に照射されない光を直接前記イメージセンサに入射させる導光部と、を備え、前記導光部は、前記イメージセンサによる前記被読取媒体の撮像時に、前記光源から照射されて前記被読取媒体を透過した光のうち、前記イメージセンサに入射される光を低減するものであり、前記光源から照射された光のうち、前記被読取媒体に照射されずに入射された光を前記イメージセンサに導くように反射する反射部と、前記被読取媒体と直交する方向において前記反射部と前記イメージセンサとの間に設けられ、前記光源から照射されて前記被読取媒体を透過して前記反射部で反射された光の前記イメージセンサへの入射量を低減する遮蔽部と、を含み、前記遮蔽部は、前記被読取媒体を透過した光の前記反射部への入射量を低減することを特徴とする。
【０００８】
本発明の好ましい態様としては、前記光源からの前記光が前記反射部に入射する入射角θと、前記反射部のうち前記光源からの光が入射する入射部と前記被読取媒体との間の距離Ａと、前記イメージセンサの主走査方向と直交する面内における距離であって、前記反射部で反射された光の経路と、前記イメージセンサ側に配置された前記遮蔽部のうち前記被読取媒体側の端部と、の間の最小の距離Ｄと、は、Ｄ＜Ａ・ｔａｎ（２θ）／（１−ｔａｎ（θ）・ｔａｎ（２θ））を満たすことが望ましい。
【０００９】
本発明の好ましい態様としては、前記イメージセンサの主走査方向と直交する面内での寸法であって、前記反射部のうち前記光源からの前記光が入射される入射部と、前記反射部の端部のうち前記イメージセンサ側の端部と、の間の寸法Ｃと、前記光源からの前記光が前記反射部に入射する入射角θと、前記入射部と前記被読取媒体との間の距離Ａと、は、Ｃ＜Ａ・ｔａｎ（２θ）／［ｃｏｓ（θ）＋ｓｉｎ（θ）・ｔａｎ（θ）］を満たすことが望ましい。
【００１１】
また、本発明に係る画像読取装置は、光を被読取媒体に向けて照射する光源と、前記光源から照射されて前記被読取媒体で反射した光に基づいて、前記被読取媒体を撮像するイメージセンサと、前記被読取媒体を挟んで前記光源とは反対側に設けられ、前記光源から照射された光のうち、前記被読取媒体に照射されない光を直接前記イメージセンサに入射させる導光部と、を備え、前記導光部は、前記イメージセンサによる前記被読取媒体の撮像時に、前記光源から照射されて前記被読取媒体を透過した光のうち、前記イメージセンサに入射される光を低減するものであり、前記光源から照射された光のうち、前記被読取媒体に照射されずに入射された光を前記イメージセンサに導くように反射する反射部を含み、前記イメージセンサの主走査方向と直交する面内での寸法であって、前記反射部のうち前記光源からの前記光が入射される入射部と、前記反射部の端部のうち前記イメージセンサ側の端部と、の間の寸法Ｃと、前記光源からの前記光が前記反射部に入射する入射角θと、前記入射部と前記被読取媒体との間の距離Ａと、は、Ｃ＜Ａ・ｔａｎ（２θ）／［ｃｏｓ（θ）＋ｓｉｎ（θ）・ｔａｎ（θ）］を満たすことを特徴とする。
【００１２】
本発明の好ましい態様としては、前記光源と前記反射部との間に移動可能に設けられて、前記光源から照射された前記光を前記イメージセンサに導かれるように反射する色基準手段を備えることが望ましい。
【００１３】
本発明の好ましい態様としては、前記イメージセンサと前記反射部との少なくとも一方が回動可能であることが望ましい。
【００１４】
本発明の好ましい態様としては、前記導光部は、前記反射部と前記被読取媒体との間となる位置に設けられて、前記反射部に入射される外乱光を低減するプリズムを含むことが望ましい。
【００１５】
本発明の好ましい態様としては、前記反射部は、前記被読取媒体側の面が湾曲した形状であることが望ましい。
【発明の効果】
【００１６】
本発明に係る画像読取装置は、光源が照射した光以外の光がイメージセンサに導かれることを抑制できる。結果として、本発明に係る画像読取装置は、裏写りを低減できるという効果を奏する。
【図面の簡単な説明】
【００１７】
【図１】図１は、実施形態１に係る画像読取装置の概略構成例を示す図である。
【図２】図２は、実施形態１のイメージセンサユニットの構成を模式的に示す説明図である。
【図３】図３は、実施形態２のイメージセンサユニットの構成を模式的に示す説明図である。
【図４】図４は、実施形態３のイメージセンサユニットの構成を模式的に示す説明図である。
【図５】図５は、実施形態３の他のイメージセンサユニットの構成を模式的に示す説明図である。
【図６】図６は、実施形態４の反射部を模式的に示す説明図である。
【図７】図７は、実施形態５の反射部を模式的に示す説明図である。
【図８】図８は、実施形態６のイメージセンサユニットの構成を模式的に示す説明図である。
【発明を実施するための形態】
【００１８】
以下、本発明につき図面を参照しつつ詳細に説明する。なお、下記の実施形態により本発明が限定されるものではない。また、下記実施形態における構成要素には、当業者が容易に想定できるもの或いは実質的に同一のものが含まれる。また、下記の実施形態では、画像読取装置としてイメージスキャナについて説明するが本発明はこれに限定されるものではなく、複写機、ファクシミリ、文字認識装置などの被読取媒体をイメージセンサにより読み取りを行うものであればいずれであってもよい。また、下記の実施形態では、イメージスキャナとして被読取媒体をイメージセンサに対して移動させることで、イメージセンサと被読取媒体とを相対移動させる自動給紙スキャナについて説明するが、本発明はこれに限定されるものではなく、イメージセンサを被読取媒体に対して移動させることで、イメージセンサと被読取媒体とを相対移動させるフラットベッドスキャナであってもよい。
【００１９】
（実施形態１）
図１は、実施形態１に係る画像読取装置の概略構成例を示す図である。以下の実施形態では、被読取媒体を原稿Ｐとし、読取対象面を印字面Ｐ１とする。実施形態１に係る画像読取装置１０は、図１に示すように、搬送装置１１と、イメージセンサユニット２０と、モータ駆動回路１７と、光源駆動回路１８と、制御装置１９とを含む。搬送装置１１は、イメージセンサユニット２０と原稿Ｐとを相対移動させるものである。本実施形態では、搬送装置１１は、原稿Ｐをイメージセンサユニット２０へ搬送する。搬送装置１１は、搬送ローラ１２と、搬送ローラ１３と、搬送ローラ用モータ１４とを含む。搬送ローラ１２及び搬送ローラ１３は、互いに対向して回転可能に支持される。搬送ローラ用モータ１４は、搬送ローラ１２に回転力を与えて搬送ローラ１２を回転させる。搬送ローラ用モータ１４が回転すると、搬送ローラ１２は、矢印Ｙ１方向に回転する。搬送ローラ１２と搬送ローラ１３との間に原稿Ｐが導かれると、原稿Ｐは、搬送ローラ１２の回転により矢印Ｙ３方向に移動する。矢印Ｙ３方向は、原稿Ｐが搬送装置１１に近づく方向である。この時、搬送ローラ１３は、矢印Ｙ１方向とは反対方向である矢印Ｙ２方向に回転する。搬送装置１１は、このようにして、イメージセンサユニット２０に原稿Ｐを導く。
【００２０】
イメージセンサユニット２０は、搬送装置１１により搬送された原稿Ｐの印字面Ｐ１の読み取りを行う。具体的には、イメージセンサユニット２０は、原稿Ｐを主走査方向に読み取る。なお、主走査方向は、原稿Ｐの印字面Ｐ１と平行かつ原稿Ｐの搬送方向と直交する方向である。なお、主走査方向は、図１の紙面に直交する方向でもある。イメージセンサユニット２０は、画像読取装置１０の図示しない筐体に固定される。イメージセンサユニット２０は、第１フレーム２１ａと、第２フレーム２１ｂと、第１透過板２２ａと、第２透過板２２ｂと、光源ユニット２３と、レンズ２５と、イメージセンサ２６と、色基準手段としての白基準板２８ａと、回動軸２８ｂと、白基準板用モータ２８ｃと、導光部とを含む。
【００２１】
導光部は、原稿Ｐを挟んで光源ユニット２３とは反対側に設けられ、光源ユニット２３から照射された光のうち、原稿Ｐに照射されない光を直接イメージセンサ２６に入射させるものである。また、導光部は、イメージセンサ２６による前記被読取媒体の撮像時に、光源ユニット２３から照射されて原稿Ｐを透過した光のうち、イメージセンサ２６に入射される光を低減するものである。具体的には、導光部は、反射板２４と、遮蔽手段としての第１遮蔽板２７ａ及び第２遮蔽板２７ｂとを含む。
【００２２】
第１フレーム２１ａ及び第２フレーム２１ｂは、イメージセンサユニット２０のその他の構成要素（構成部品）を支持する。なお、第２フレーム２１ｂは、従来の裏当て部材に相当する部分である。第１透過板２２ａ及び第２透過板２２ｂは、光を透過する板状部材である。第１透過板２２ａ及び第２透過板２２ｂは、例えば、ガラス板である。第１透過板２２ａは、第１フレーム２１ａに設けられる。第２透過板２２ｂは、第２フレーム２１ｂに設けられる。第１透過板２２ａと第２透過板２２ｂとは、隙間をあけて互いに平行に設けられる。これにより、画像読取装置１０は、第１透過板２２ａと第２透過板２２ｂとの間に原稿Ｐが走行できる搬送路Ｒが形成される。原稿Ｐは、第１透過板２２ａと第２透過板２２ｂとによって支持されながら、搬送路Ｒを走行する。
【００２３】
光源ユニット２３は、第１フレーム２１ａに設けられる。光源ユニット２３は、搬送路Ｒに向かって光Ｔ１を照射する。搬送路Ｒに原稿Ｐが存在する場合、光源ユニット２３は、原稿Ｐに向かって光Ｔ１を照射する。光源ユニット２３は、Ｒ光源２３ａと、Ｇ光源２３ｂと、Ｂ光源２３ｃと、プリズム２３ｄとを含む。Ｒ光源２３ａは、点灯することで赤色の光を発光する。Ｇ光源２３ｂは、点灯することで緑色の光を発光する。Ｂ光源２３ｃは、点灯することで青色の光を発光する。Ｒ光源２３ａとＧ光源２３ｂとＢ光源２３ｃ（以下、単に「各光源２３ａ〜２３ｃ」ともいう）は、例えばＬＥＤ（Light Emitting Diode）である。各光源２３ａ〜２３ｃの駆動は、後述する光源駆動回路１８により行われる。プリズム２３ｄは、各光源２３ａ〜２３ｃと、搬送路Ｒとの間に設けられる。プリズム２３ｄは、各光源２３ａ〜２３ｃが発光した光Ｔ１を搬送路Ｒの主走査方向に均等に導くためのものである。搬送路Ｒに原稿Ｐが存在する場合、各光源２３ａ〜２３ｃが照射した各色の光Ｔ１は、プリズム２３ｄを介して第１透過板２２ａに導かれ、さらに第１透過板２２ａを透過して原稿Ｐの主走査方向に均等に導かれる。
【００２４】
反射板２４は、入射された光を全反射する部材である。すなわち、反射板２４は、入射された光を直接イメージセンサ２６に入射させるものである。なお、ここでいう直接には、反射板２４とイメージセンサ２６との間の光路に鏡が介在される場合も含む。本実施形態では、反射板２４は、例えば、板状の鏡である。反射板２４は、搬送路Ｒを境に、光源ユニット２３とは反対側である第２フレーム２１ｂに設けられる。このようにして、反射板２４は、光源ユニット２３との間に原稿Ｐが存在可能に設けられる。反射板２４は、光源ユニット２３から照射された光Ｔ１が入射可能な位置に設けられる。すなわち、搬送路Ｒに原稿Ｐが存在しないときに、光源ユニット２３から照射された光が直接入射される位置に設けられる。反射板２４は、光源ユニット２３から入射された光Ｔ１を搬送路Ｒ側に向かって反射する。以下、反射板２４で反射された光を光Ｔ２とする。
【００２５】
レンズ２５及びイメージセンサ２６は、搬送路Ｒを境に光源ユニット２３と同じ側である第１フレーム２１ａに設けられる。レンズ２５は、第１透過板２２ａとイメージセンサ２６との間に設けられる。レンズ２５は、反射板２４で反射した光Ｔ２と、原稿Ｐで反射した光とが導かれる。そして、レンズ２５は、導かれた光をイメージセンサ２６に入射させる。レンズ２５は、例えばロットレンズアレイで構成される。レンズ２５は、原稿Ｐの印字面Ｐ１で反射した各光源２３ａ〜２３ｃの光が通過することで、イメージセンサ２６のラインセンサ上に印字面Ｐ１の正立像を等倍で結像させる。
【００２６】
イメージセンサ２６は、光源ユニット２３から照射されて原稿Ｐで反射した光に基づいて、原稿Ｐを撮像するものである。イメージセンサ２６は、搬送装置１１により搬送される原稿Ｐの印字面Ｐ１の読み取りを行う。イメージセンサ２６は、図示しないセンサ素子（撮像素子）が直線状に配置される。本実施形態では、イメージセンサ２６は、センサ素子が、搬送路Ｒに存在する原稿Ｐの主走査方向に１ライン配列される。各センサ素子は、露光ごとに、レンズ２５を介して入射される光に応じて素子データを生成する。つまり、イメージセンサ２６は、露光ごとに、各センサ素子に対応して生成された素子データからなるラインデータを生成する。これにより、イメージセンサ２６は、直線状に１ライン配列されたセンサ素子が原稿Ｐを主走査方向に読み取りを行う。
【００２７】
第１遮蔽板２７ａ及び第２遮蔽板２７ｂは、原稿Ｐと直交する方向において反射板２４とイメージセンサ２６との間に設けられ、光源ユニット２３から照射されて原稿Ｐを透過して反射板２４で反射された光のイメージセンサ２６への入射量を低減するものである。また、第１遮蔽板２７ａ及び第２遮蔽板２７ｂは、原稿Ｐを透過した光の反射板２４への入射量を低減するものである。
【００２８】
具体的には、第１遮蔽板２７ａ及び第２遮蔽板２７ｂは、搬送路Ｒを境に反射板２４と同じ側である第２フレーム２１ｂに設けられる。第１遮蔽板２７ａ及び第２遮蔽板２７ｂは、主走査方向に延在される板状の部材である。第１遮蔽板２７ａ及び第２遮蔽板２７ｂは、第２透過板２２ｂに対して平行にならないように、例えば第２透過板２２ｂと直交するように設けられる。第１遮蔽板２７ａ及び第２遮蔽板２７ｂは、例えば第２透過板２２ｂのうち搬送路Ｒとは反対側の面に支持される。
【００２９】
第１遮蔽板２７ａ及び第２遮蔽板２７ｂは、副走査方向で反射板２４を挟み込む。副走査方向とは、搬送路Ｒ（原稿Ｐ）と平行かつ、主走査方向と直交する方向である。第１遮蔽板２７ａは、副走査方向でレンズ２５及びイメージセンサ２６側に設けられ、第２遮蔽板２７ｂは、副走査方向で光源ユニット２３側に設けられる。また、第１遮蔽板２７ａ及び第２遮蔽板２７ｂは、光Ｔ１及び光Ｔ２を遮らないように設けられる。これにより、第１遮蔽板２７ａ及び第２遮蔽板２７ｂは、光Ｔ１及び光Ｔ２以外の光で、反射板２４に入射される光を低減する。なお、本実施形態では、イメージセンサユニット２０は、第１遮蔽板２７ａと第２遮蔽板２７ｂとの２枚の遮蔽板を有するが、イメージセンサユニット２０は、例えば、第２透過板２２ｂと対向する部分に開口を有する箱型の遮蔽部材を備えてもよい。箱型の遮蔽部材は、反射板２４を覆うように設けられる。
【００３０】
白基準板２８ａは、搬送路Ｒを境に反射板２４と同じ側である第２フレーム２１ｂに設けられる。白基準板２８ａは、主走査方向に延在される板状の部材である。白基準板２８ａは、第１遮蔽板２７ａと第２遮蔽板２７ｂとの間、かつ、反射板２４と第２透過板２２ｂとの間に設けられる。白基準板２８ａは、白色に塗装されている、または、白色のシートが表面に貼り付けられている。白基準板２８ａは、白基準板用モータ２８ｃから回転力を得て、回動軸２８ｂを中心に回動できる。回動軸２８ｂは、例えば、主走査方向と平行である。白基準板２８ａは、回動軸２８ｂを中心に第２透過板２２ｂに近づく方向に向かって回動することにより、第１遮蔽板２７ａと第２遮蔽板２７ｂとの間を塞ぐことができる。これにより、白基準板２８ａは、反射板２４に入射される光Ｔ１を遮る。
【００３１】
また、白基準板２８ａは、回動軸２８ｂを中心に第２透過板２２ｂから離れる方向に向かって回動することにより、第１遮蔽板２７ａと第２遮蔽板２７ｂとの間を開放できる。これにより、白基準板２８ａは、反射板２４に入射される光Ｔ１と、反射板２４で反射した光Ｔ２とを遮らない。ここで、白基準板２８ａによって遮られた光Ｔ１は、白基準板２８ａの白色面で反射してレンズ２５を介してイメージセンサ２６に導かれる。イメージセンサ２６は、この時入射された光を白色の基準とする。イメージセンサ２６は、この白色の基準に基づいて、複数のセンサ素子がそれぞれ読み取った画像の色合いの差が校正される。すなわち、イメージセンサ２６が読み取った画像の色合いの校正がなされる際、白基準板２８ａは、第２透過板２２ｂに近づく方向に回動して、第１遮蔽板２７ａと第２遮蔽板２７ｂとの間を塞ぐ。そして、イメージセンサ２６が読み取った画像の色合いの校正が完了し、イメージセンサユニット２０が原稿Ｐを読み取る際、白基準板２８ａは、第１遮蔽板２７ａに近づくように回動して、第１遮蔽板２７ａと第２遮蔽板２７ｂとの間を開放する。
【００３２】
モータ駆動回路１７は、搬送ローラ用モータ１４の駆動と、白基準板用モータ２８ｃの駆動とを行うための回路（電子デバイス）である。具体的には、モータ駆動回路１７は、搬送ローラ用モータ１４を回転させるタイミングと、搬送ローラ用モータ１４を回転させる角度とを調節する。結果として、モータ駆動回路１７は、搬送ローラ１２を回転させるタイミングと、搬送ローラ１２を回転させる角度とを調節する。すなわち、モータ駆動回路１７は、原稿Ｐを搬送するタイミングと、原稿Ｐの搬送量とを調節する。光源駆動回路１８は、各光源２３ａ〜２３ｃの駆動を行うための回路（電子デバイス）である。具体的には、光源駆動回路１８は、各光源２３ａ〜２３ｃの点灯及び消灯のタイミングを調節する。
【００３３】
制御装置１９は、コンピュータであって、演算部と、記憶部と、入出力部（Ｉｎｐｕｔ／Ｏｕｔｐｕｔ）とを備える。制御装置１９は、モータ駆動回路１７と、光源駆動回路１８と、イメージセンサ２６とそれぞれ電気的に接続される。これにより、制御装置１９は、原稿Ｐを搬送するタイミングと、原稿Ｐの搬送量とをモータ駆動回路１７を介して調節する。また、制御装置１９は、光源駆動回路１８を介して各光源２３ａ〜２３ｃの点灯及び消灯のタイミングを調節する。また、制御装置１９は、各光源２３ａ〜２３ｃの点灯時に、イメージセンサ２６の各センサ素子を露光させる。つまり、制御装置１９は、各センサ素子を各光源２３ａ〜２３ｃが点灯している制御周期において露光させる。したがって、各センサ素子は、ＲＧＢ各色にそれぞれ対応する素子データ、すなわちＲデータ、Ｇデータ、Ｂデータを各光源２３ａ〜２３ｃの点灯ごとに生成する。これにより、イメージセンサ２６は、ＲＧＢ各色にそれぞれ対応したＲＧＢラインデータであるＲラインデータ、Ｇラインデータ、Ｂラインデータを生成する。制御装置１９は、イメージセンサ２６が生成したＲＧＢラインデータを取得する。
【００３４】
また、制御装置１９は、原稿Ｐのエッジの検出もできる。原稿Ｐを読み取る際、白基準板２８ａは開かれている（第１遮蔽板２７ａと第２遮蔽板２７ｂとの間を開放している）。よって、光源ユニット２３が照射した光Ｔ１は、反射板２４に入射されて、反射板２４で反射される。そして、反射板２４で反射された光Ｔ２は、レンズ２５を介してイメージセンサ２６に導かれる。この時、原稿Ｐが光Ｔ２を遮ることができる位置にない場合、光Ｔ２は直接レンズ２５へ導かれる。一方、原稿Ｐが光Ｔ２を遮ることができる位置にある場合、光Ｔ２は原稿Ｐを透過してレンズ２５へ導かれることになる。よって、原稿Ｐが光Ｔ２を遮ることができる位置にあるか否かで、レンズ２５に導かれる光量が変化する。制御装置１９は、この光量の差に基づいて、原稿Ｐのエッジを検出できる。次に、イメージセンサユニット２０のより詳細な構成を説明する。
【００３５】
図２は、実施形態１のイメージセンサユニットの構成を模式的に示す説明図である。反射板２４は、鏡面２４ａと、入射部２４ｂとを含む。反射板２４は、必ずしもすべての部分が鏡である必要はない。反射板２４は、少なくとも一部が鏡面２４ａであればよい。この鏡面２４ａが反射部として機能する。鏡面２４ａの具体的な部位は、搬送路Ｒと対向する面である。さらに、反射板２４は、搬送路Ｒと対向する面のすべての部分が鏡面２４ａである必要もない。反射板２４は、少なくとも、光Ｔ１が入射される部分が鏡面２４ａであればよい。すなわち、反射板２４は、光源ユニット２３が光Ｔ１を誤差なく照射できるのであれば、鏡面部分の副走査方向の寸法が０より大きい値であればよい。但し、実際にイメージセンサユニット２０を製造する際には、光源ユニット２３の組み付け誤差や、製造誤差が生じる。そこで、本実施形態では、反射板２４は、搬送路Ｒと対向する面のすべての部分が鏡（鏡面２４ａ）であるものとする。そして、鏡面２４ａのうち、光Ｔ１が入射される部分を入射部２４ｂとする。また、入射部２４ｂと交わり、かつ、鏡面２４ａと直交する線を法線Ｎとする。
【００３６】
図２では、説明の便宜上、見やすくするために反射板２４の大きさを大きめに示している。しかしながら、実際は、反射板２４は、後述する式を満たすために、図２に模式的に示されているものよりも小さめに形成される。図２に示す寸法Ｃは、鏡面２４ａの寸法である。具体的には、寸法Ｃは、入射部２４ｂから端部２４ｃまでの寸法である。端部２４ｃは、光Ｔ１及び光Ｔ２を含む面（図２紙面）内での鏡面２４ａの端部である。なお、鏡面２４ａは、前記面内に端部２４ｃと端部２４ｄとの２つの端部を有する。端部２４ｃは、この２つのうち、前記面内で法線Ｎを境に光源ユニット２３とは反対側（レンズ２５及びイメージセンサ２６と同じ側）の端部である。すなわち、端部２４ｃは、反射板２４のうち第１遮蔽板２７ａ側の端部である。
【００３７】
距離Ｄは、前記面内（図２紙面内）における、第１遮蔽板２７ａのうち搬送路Ｒ側の端部２７ｃと、光Ｔ２との間の距離である。本実施形態では、第１遮蔽板２７ａは、回動軸２８ｂを支持するための部分が第２透過板２２ｂ側の端部２７ｃに設けられている。よって、第１遮蔽板２７ａは、第２透過板２２ｂ側の端部２７ｃが第２遮蔽板２７ｂに向かって副捜査方向に突出する形状（略Ｌ字形状）に形成されている。本実施形態では、距離Ｄは、光Ｔ２からこの突出部分までの距離となる。なお、突出部分が設けられる目的は、回動軸２８ｂを支持するために限定されない。例えば、突出部分は、第１遮蔽板２７ａと第２遮蔽板２７ｂとの間の隙間（開口部分）の面積を小さくするために設けられてもよい。
【００３８】
距離Ｄ１は、前記面内（図２紙面内）における、第２遮蔽板２７ｂのうち搬送路Ｒ側の端部２７ｄと、光Ｔ２との間の距離である。距離Ａは、入射部２４ｂから第２透過板２２ｂまでの距離である。入射角θは、光Ｔ１が入射部２４ｂに入射する角度である。すなわち、入射角θは、光Ｔ１の経路と法線Ｎとが成す狭角である。なお、θは、入射部２４ｂでの反射角（光Ｔ２の経路と法線Ｎとが成す狭角）と、イメージセンサ２６や搬送路Ｒに対して反射板２４（入射部２４ｂ）が傾斜する角度と一致する。誤差想定寸法Ｘは、製造誤差によって光Ｔ２の経路が副走査方向でずれるおそれがあると想定される寸法である。なお、誤差公差が０となる（限りなく０に近づけられる）ことにより、誤差想定寸法Ｘは、０として扱われることもできる。次に、距離Ａと、寸法Ｃと、距離Ｄと、距離Ｄ１と、誤差想定寸法Ｘと、入射角θとの各値が満たすべき条件（式）について説明する。
【００３９】
距離Ａと、入射角θとは、下記の式（１）を満たす。
Ａ・ｔａｎ（２θ）＞Ｘ    ・・・（１）
【００４０】
上記の式（１）により、反射板２４は、誤差想定寸法Ｘをｔａｎ（２θ）で除した値よりも距離Ａが大きくなるように入射部２４ｂの位置が設定される。なお、距離Ａと、入射角θとが、上記の式（１）を満たさない場合、反射板２４は、イメージセンサ２６へ光を導けない。
【００４１】
距離Ａと、距離Ｄ１と、誤差想定寸法Ｘと、入射角θとは、下記の式（２）を満たす。
Ｄ１＞Ａ・ｔａｎ（２θ）＋Ｘ    ・・・（２）
【００４２】
上記の式（２）を満たすことにより、第２遮蔽板２７ｂは、光Ｔ１を遮らない。これにより、光Ｔ１は、入射部２４ｂに入射する。
【００４３】
距離Ａと、寸法Ｃと、誤差想定寸法Ｘと、入射角θとは、下記の式（３）、または後述する式（４）を満たすように設定される。
Ｘ＜Ｃ＜Ａ・ｔａｎ（２θ）／［ｃｏｓ（θ）＋ｓｉｎ（θ）・ｔａｎ（θ）］    ・・・（３）
【００４４】
上記の式（３）を満たすことにより、鏡面２４ａは、寸法Ｃがとりうる値の範囲が規定される。ここで、鏡面２４ａは、寸法Ｃが大きくなればなるほど、光Ｔ１以外の光が入射されるおそれが増大する。光Ｔ１以外の光とは、例えば、原稿Ｐで乱反射した光や、イメージセンサユニット２０の各部材で乱反射した光である。以下、光Ｔ１及び光Ｔ２以外の光を外乱光Ｔ３とする。このような光が鏡面２４ａに入射されると、反射板２４は、外乱光Ｔ３をイメージセンサ２６へ導くおそれがある。仮に、外乱光Ｔ３がイメージセンサ２６に導かれると、イメージセンサユニットは、印字面Ｐ１以外の画像（例えば印字面Ｐ１とは逆の裏面に形成された画像）が写りこむ。原稿Ｐの裏面に形成された画像が印字面Ｐ１の画像に写りこむ現象は、裏写りと呼ばれる。イメージセンサユニットは、裏写りが生じると読み取った画像が見にくくなる、すなわち読取精度が低下する。
【００４５】
しかしながら、本実施形態のイメージセンサユニット２０は、寸法Ｃがとりうる値の範囲が上記の式（３）によって規定されている。具体的には、寸法Ｃは、Ａ・ｔａｎ（２θ）／［ｃｏｓ（θ）＋ｓｉｎ（θ）・ｔａｎ（θ）］よりも小さい値である。よって、イメージセンサユニット２０は、距離Ａと、寸法Ｃと、誤差想定寸法Ｘと、入射角θとが、上記の式（３）を満たすことにより、鏡面２４ａに入射される外乱光Ｔ３を低減できる。結果として、イメージセンサユニット２０は、裏写りを低減できる。なお、寸法Ｃが、Ａ・ｔａｎ（２θ）／［ｃｏｓ（θ）＋ｓｉｎ（θ）・ｔａｎ（θ）］以上である場合、画像読取装置１０は、読み取ろうとするライン（以下、読取ラインという）に、反射板２４で反射した光Ｔ２のうち最も強い光が入射されなくなる。
【００４６】
ここで、イメージセンサユニット２０は、第１遮蔽板２７ａ及び第２遮蔽板２７ｂを備えなくてもよい。イメージセンサユニット２０は、第１遮蔽板２７ａ及び第２遮蔽板２７ｂを備えなくても、距離Ａと、寸法Ｃと、誤差想定寸法Ｘと、入射角θとが、上記の式（３）を満たすことにより、裏写りを低減できる。但し、イメージセンサユニット２０は、第１遮蔽板２７ａ及び第２遮蔽板２７ｂを備え、かつ、寸法Ｃと、距離Ａと、誤差想定寸法Ｘとが、上記の式（３）を満たすとより好ましい。これにより、イメージセンサユニット２０は、鏡面２４ａに入射される外乱光Ｔ３をより好適に低減できる。結果として、イメージセンサユニット２０は、裏写りをより好適に低減できる。なお、上述のように、誤差想定寸法Ｘは、０をとりうる値であるため、上記の式（３）は、０＜Ｃ＜Ａ・ｔａｎ（２θ）／［ｃｏｓ（θ）＋ｓｉｎ（θ）・ｔａｎ（θ）］に置き換えられることができる。
【００４７】
ここで、寸法Ｃと、距離Ｄ１と、入射角θとが、Ｃ・ｃｏｓ（θ）＞Ｄ１を満たす場合、距離Ａと、距離Ｄと、誤差想定寸法Ｘと、入射角θとは、下記の式（４）を満たすように設定される。
Ｄ＜Ａ・ｔａｎ（２θ）−Ｘ／（１−ｔａｎ（θ）・ｔａｎ（２θ））    ・・・（４）
【００４８】
なお、上述のように、誤差想定寸法Ｘは、０をとりうる値であるため、上記の式（４）は、下記の式（４’）に置き換えられることができる。また、距離Ａが、鏡面２４ａと第２透過板２２ｂとの間の最短距離である場合、記の式（４）は、下記の式（４’ ’）に置き換えられることができる。
Ｄ＜Ａ・ｔａｎ（２θ）／（１−ｔａｎ（θ）・ｔａｎ（２θ））    ・・・（４’）
Ｄ＜Ａ・ｔａｎ（２θ）                                          ・・・（４’ ’）
【００４９】
距離Ｄが小さければ小さいほど、第１遮蔽板２７ａは入射部２４ｂに副走査方向で近づくことになる。これにより、光Ｔ２と第１遮蔽板２７ａとの副走査方向の間の空間が狭くなるため、イメージセンサユニット２０は、前記隙間から進入する外乱光Ｔ３を低減できる。よって、距離Ｄは小さければ小さいほど好ましい。鏡面２４ａに入射される外乱光Ｔ３を低減できる距離Ｄの上限値は、上記の式（４）または式（４’）で導き出される。ここで、例えば、距離Ａと、寸法Ｃと、誤差想定寸法Ｘと、入射角θとが上記の式（３）を満たさない場合であっても、距離Ａと、距離Ｄと、誤差想定寸法Ｘと、入射角θとが上記の式（４）を満たすように設定されることで、距離Ｄは、鏡面２４ａに入射される外乱光Ｔ３を第１遮蔽板２７ａが十分に低減できる距離となる。すなわち、寸法Ｃと、距離Ｄ１と、入射角θとが、上記の式（４）または式（４‘）を満たすことにより、第１遮蔽板２７ａの端部２７ｃの最も近くを通過した外乱光Ｔ３は、読取ラインに入射しない。以上により、イメージセンサユニット２０は、外乱光Ｔ３が鏡面２４ａに入射される光を低減できる。よって、イメージセンサユニット２０は、裏写りを低減できる。
【００５０】
上述のように、本実施形態では、イメージセンサユニット２０は、第１遮蔽板２７ａ及び第２遮蔽板２７ｂを有し、さらに、距離Ａと、寸法Ｃと、誤差想定寸法Ｘと、入射角θとが上記の式（３）を満たす、または、距離Ａと、距離Ｄと、誤差想定寸法Ｘと、入射角θとが上記の式（４）あるいは式（４’）を満たすが、イメージセンサユニット２０はこれに限定されない。イメージセンサユニット２０は、第１遮蔽板２７ａ及び第２遮蔽板２７ｂを有することと、距離Ａと、寸法Ｃと、誤差想定寸法Ｘと、入射角θとが上記の式（３）を満たすことと、距離Ａと、距離Ｄと、誤差想定寸法Ｘと、入射角θとが上記の式（４）あるいは式（４’）を満たすことと、のうちの少なくとも１つを満足すればよい。いずれの場合であっても、イメージセンサユニット２０は、反射板２４に入射される外乱光Ｔ３を低減できる。よって、イメージセンサユニット２０は、裏写りを低減できる。
【００５１】
（実施形態２）
図３は、実施形態２のイメージセンサユニットの構成を模式的に示す説明図である。本実施形態のイメージセンサユニット３０は、図２に示す実施形態１のイメージセンサユニット２０の一部が変更されたものである。以下、イメージセンサユニット２０と同様の構成要素には同一の符号を付し、説明を省略する。図３に示すイメージセンサユニット３０は、反射板３１と、反射板回動用モータ３２とを含む。イメージセンサユニット３０は、反射板３１が回動する点に特徴がある。
【００５２】
反射板３１は、回動軸３１ａを中心に回動できるように支持される。回動軸３１ａは、主走査方向に沿って設けられる。反射板回動用モータ３２は、反射板３１に回転力を与える。これにより、反射板回動用モータ３２が駆動すると、反射板３１は、回動軸３１ａを中心に回動する。反射板３１は、回動軸３１ａを中心に回動すると、イメージセンサ２６に対する傾斜角度（入射角θと一致）が変化する。反射板回動用モータ３２は、図１に示すモータ駆動回路１７に電気的に接続される。これにより、制御装置１９は、モータ駆動回路１７を介して反射板回動用モータ３２の駆動を制御できる。具体的には、制御装置１９は、反射板回動用モータ３２の回転角度、すなわち反射板３１が回動する角度を調節する。
【００５３】
上記構成により、イメージセンサユニット３０は、例えば、製造誤差が生じた際に、反射板３１を回動させることで誤差分を補正できる。さらに、イメージセンサユニット３０は、イメージセンサ２６に対する反射板３１の傾斜角度を調整できる。イメージセンサ２６に対する反射板３１の傾斜角度は、入射角θと一致する。すなわち、イメージセンサユニット３０は、入射角θを調整できる。よって、例えば、ユーザーが裏写りのさらなる低減を図ろうとした場合に、イメージセンサユニット３０は、距離Ａと、寸法Ｃと、誤差想定寸法Ｘと、入射角θとが上記の式（３）を満たす範囲で、または、距離Ａと、距離Ｄと、誤差想定寸法Ｘと、入射角θとが上記の式（４）あるいは式（４’）を満たす範囲で、入射角θを調整できる。例えば、イメージセンサユニット３０は、搬送路Ｒに原稿Ｐがない状態でイメージセンサ２６に導かれる光量に基づいて、入射角θを調節する。イメージセンサユニット３０は、例えば、イメージセンサ２６に光Ｔ２を導かないように入射角θを調節する場合があってもよい。これにより、イメージセンサユニット３０は、鏡面２４ａに入射される外乱光Ｔ３を低減できる可能性がある。結果として、イメージセンサユニット３０は、裏写りを低減できる可能性が向上する。
【００５４】
なお、本実施形態では、イメージセンサユニット３０は、第１遮蔽板２７ａ及び第２遮蔽板２７ｂを有し、さらに、距離Ａと、寸法Ｃと、誤差想定寸法Ｘと、入射角θとが上記の式（３）を満たす、または、距離Ａと、距離Ｄと、誤差想定寸法Ｘと、入射角θとが式（４）あるいは式（４’）を満たすが、イメージセンサユニット３０はこれに限定されない。イメージセンサユニット３０は、第１遮蔽板２７ａ及び第２遮蔽板２７ｂを有することと、距離Ａと、寸法Ｃと、誤差想定寸法Ｘと、入射角θとが上記の式（３）を満たすことと、距離Ａと、距離Ｄと、誤差想定寸法Ｘと、入射角θとが式（４）あるいは式（４’）を満たすことと、のうち少なくとも１つを満足すればよい。いずれの場合であっても、イメージセンサユニット３０は、反射板３１に入射される外乱光Ｔ３を低減できる。よって、イメージセンサユニット３０は、裏写りを低減できる。
【００５５】
（実施形態３）
図４は、実施形態３のイメージセンサユニットの構成を模式的に示す説明図である。図５は、実施形態３の他のイメージセンサユニットの構成を模式的に示す説明図である。本実施形態のイメージセンサユニット４０は、図２に示す実施形態１のイメージセンサユニット２０に、図４に示す反射板用プリズム４１が追加されたものである。以下、イメージセンサユニット２０と同様の構成要素には同一の符号を付し、説明を省略する。反射板用プリズム４１は、反射板２４と搬送路Ｒとの間に設けられる。これにより、反射板用プリズム４１は、搬送路Ｒに原稿Ｐが存在する場合に、反射板２４と原稿Ｐとの間に設けられる。具体的には、反射板用プリズム４１は、反射板２４の鏡面２４ａに接するように反射板２４に取り付けられる。
【００５６】
図４に示す反射板用プリズム４１は、搬送路Ｒと対向する面が搬送路Ｒと平行に形成されている。但し、反射板用プリズム４１は、図４に示す形状に限定されない。イメージセンサユニット４０は、図５に示す反射板用プリズム４１Ａのように、搬送路Ｒと対向する面が搬送路Ｒに対して傾斜した形状でもよい。反射板用プリズム４１は、光Ｔ１を入射部２４ｂに導き、光Ｔ２をレンズ２５へ導ける形状であればよい。
【００５７】
イメージセンサユニット４０が反射板用プリズム４１を備えることにより、外乱光Ｔ３は、反射板用プリズム４１（４１Ａ）によって屈折させられる。例えば、イメージセンサユニットが反射板用プリズム４１を備えない場合、外乱光Ｔ３がレンズ２５へ導かれていたとする。しかしながら、イメージセンサユニット４０は、反射板用プリズム４１を備えるため、外乱光Ｔ３が反射板用プリズム４１によって屈折させられる。これにより、イメージセンサユニット４０は、レンズ２５へ導かれる外乱光Ｔ３を低減できる。結果として、イメージセンサユニット４０は、裏写りを低減できる。
【００５８】
なお、本実施形態では、イメージセンサユニット４０は、第１遮蔽板２７ａ及び第２遮蔽板２７ｂを有し、さらに、距離Ａと、寸法Ｃと、誤差想定寸法Ｘと、入射角θとが上記の式（３）を満たす、または、距離Ａと、距離Ｄと、誤差想定寸法Ｘと、入射角θとが式（４）あるいは式（４’）を満たすが、イメージセンサユニット４０はこれに限定されない。イメージセンサユニット４０は、第１遮蔽板２７ａ及び第２遮蔽板２７ｂが省略され、かつ、距離Ａと、寸法Ｃと、誤差想定寸法Ｘと、入射角θとが上記の式（３）を満たさず、かつ、距離Ａと、距離Ｄと、誤差想定寸法Ｘと、入射角θとが式（４）あるいは式（４’）を満たさなくてもよい。この場合であっても、イメージセンサユニット４０は、レンズ２５に導かれる外乱光Ｔ３を反射板用プリズム４１が十分に低減できる。結果として、イメージセンサユニット４０は、裏写りを低減できる。
【００５９】
（実施形態４）
図６は、実施形態４の反射部を模式的に示す説明図である。本実施形態のイメージセンサユニット５０は、図２に示す実施形態１の反射板２４に替えて、反射部としてのプリズム５１を備える点に特徴がある。以下、イメージセンサユニット２０と同様の構成要素には同一の符号を付し、説明を省略する。プリズム５１は、搬送路Ｒを境に、光源ユニット２３とは反対側である第２フレーム２１ｂに設けられる。プリズム５１は、光源ユニット２３から照射された光Ｔ１が入射されることが可能な位置に設けられる。すなわち、搬送路Ｒに原稿Ｐが存在しないときに、光源ユニット２３から照射された光が直接入射される位置に設けられる。
【００６０】
プリズム５１は、光Ｔ１を複数の鏡面５２で反射（ほぼ全反射）し、最終的に光Ｔ２をレンズ２５へ導く。以上により、プリズム５１は、図４に示す反射板用プリズム４１と反射板２４との組み合わせや、図５に示す反射板用プリズム４１Ａと反射板２４との組み合わせと、同様の理由で同様の効果を奏する。さらに、実施形態３のイメージセンサユニット４０が奏する効果とは異なる効果として、本実施形態のイメージセンサユニット５０は、反射板２４を省略できる。よって、イメージセンサユニット５０は、部品点数が低減される。結果として、イメージセンサユニット５０は、製造されるのに要するコストや、製造されるのに要する作業量を低減できる。また、イメージセンサユニット５０は、光源ユニット２３からの光Ｔ１のうち、プリズム５１によって特定の光のみをイメージセンサ２６へ導くこともできる。
【００６１】
なお、本実施形態では、イメージセンサユニット５０は、第１遮蔽板２７ａ及び第２遮蔽板２７ｂを有するが、イメージセンサユニット５０はこれに限定されない。イメージセンサユニット５０は、第１遮蔽板２７ａ及び第２遮蔽板２７ｂが省略されてもよい。この場合であっても、イメージセンサユニット５０は、レンズ２５に導かれる外乱光Ｔ３をプリズム５１が十分に低減できる。結果として、イメージセンサユニット５０は、裏写りを低減できる。
【００６２】
また、プリズム５１は、例えば、搬送路Ｒとは反対側の面が鏡面になっていてもよい。反射部としての鏡面は、反射する光の量を増加させるための塗料（例えば銀色）がプリズム５１の表面に塗られたり、反射する光の量を増加させるためのフィルム状のシート（例えば銀箔）がプリズム５１の表面に貼り付けられたりして構成される。これにより、プリズム５１は、レンズ２５に向かって反射する光Ｔ２の低下を抑制できる。
【００６３】
（実施形態５）
図７は、実施形態５の反射部を模式的に示す説明図である。本実施形態のイメージセンサユニット６０は、図２に示す実施形態１の反射板２４に替えて、湾曲型反射板６１を備える点に特徴がある。湾曲型反射板６１は、図２に示す反射板２４の鏡面２４ａが、反射部としての湾曲鏡面６２に置き換えられていること以外、反射板２４と同一の構成である。光Ｔ１は、湾曲鏡面６２の入射部６３に入射される。そして、入射部６３で反射した光Ｔ２は、レンズ２５へ導かれる。なお、湾曲型反射板６１は、本実施形態では入射部６３が曲面であるが、入射部６３部分のみが平面に形成されてもよい。すなわち、湾曲型反射板６１は、湾曲鏡面６２の少なくとも一部が湾曲していればよい。
【００６４】
上記構成により、外乱光Ｔ３は、仮に湾曲鏡面６２に入射されたとしても、湾曲鏡面６２によってレンズ２５とは異なる方向へ反射される。これにより、レンズ２５へ導かれる外乱光Ｔ３を低減できる。結果として、イメージセンサユニット６０は、裏写りを低減できる。なお、本実施形態では、イメージセンサユニット６０は、第１遮蔽板２７ａ及び第２遮蔽板２７ｂを有し、さらに、距離Ａと、寸法Ｃと、誤差想定寸法Ｘと、入射角θとが上記の式（３）を満たす、または、距離Ａと、距離Ｄと、誤差想定寸法Ｘと、入射角θとが式（４）あるいは式（４’）を満たすが、イメージセンサユニット６０はこれに限定されない。イメージセンサユニット６０は、第１遮蔽板２７ａ及び第２遮蔽板２７ｂが省略されてもよい。また、イメージセンサユニット６０は、距離Ａと、寸法Ｃと、誤差想定寸法Ｘと、入射角θとが上記の式（３）を満たさず、かつ、距離Ａと、距離Ｄと、誤差想定寸法Ｘと、入射角θとが式（４）あるいは式（４’）を満たさなくてもよい。これらの場合であっても、イメージセンサユニット６０は、レンズ２５に導かれる外乱光Ｔ３を湾曲型反射板６１が十分に低減できる。結果として、イメージセンサユニット６０は、裏写りを低減できる。
【００６５】
（実施形態６）
図８は、実施形態６のイメージセンサユニットの構成を模式的に示す説明図である。図８に示す本実施形態のイメージセンサユニット７０は、反射板が搬送路Ｒと平行、かつ、イメージセンサが搬送路Ｒに対して傾斜する点に特徴がある。以下、イメージセンサユニット２０と同様の構成要素には同一の符号を付し、説明を省略する。イメージセンサユニット７０は、反射板７１と、レンズ７４と、イメージセンサ７５とを備える。反射板７１と、レンズ７４と、イメージセンサ７５とのそれぞれの機能は、図２に示す反射板２４と、レンズ２５と、イメージセンサ２６と同様である。以下の説明では、各構成要素が図２に示すイメージセンサユニット２０の各構成要素と異なる点を主に説明する。
【００６６】
反射板７１は、搬送路Ｒに対して平行に設けられる。反射板７１は、搬送路Ｒと対向する面が反射部としての鏡面７２である。反射板７１は、光Ｔ１が鏡面７２の入射部７３に入射され、光Ｔ２をレンズ７４に導く。イメージセンサ７５は、搬送路Ｒに対して傾斜して設けられる。イメージセンサ７５が搬送路Ｒに対して傾斜する角度は、θであり、光Ｔ１の入射角θと一致する。レンズ７４は、イメージセンサ７５と同様に、搬送路Ｒに対して傾斜する。レンズ７４が搬送路Ｒに対して傾斜する角度もθであり、光Ｔ１の入射角θと一致する。
【００６７】
以上により、反射板７１とイメージセンサ７５とは、相対的に角度θで傾斜する。よって、イメージセンサ７５から見ると、反射板７１は、イメージセンサ７５に対して傾斜して設けられることになる。これにより、実施形態１のイメージセンサユニット２０と同様の理由で、イメージセンサユニット７０は、イメージセンサ７５に導かれる外乱光Ｔ３を低減できる。
【００６８】
ここで、イメージセンサユニット７０は、図３に示すイメージセンサユニット３０と同様の機能を有することもできる。この場合、イメージセンサユニット７０は、光源ユニット２３と、レンズ７４と、イメージセンサ７５とが入射部７３を中心に回動する。例えば、イメージセンサユニット７０は、第１支持体７６と、第２支持体７７とを備える。そして、光源ユニット２３は、第１支持体７６に取り付けられる。レンズ７４と、イメージセンサ７５とは、第２支持体７７に取り付けられる。第１支持体７６と第２支持体７７とは、相反方向に入射部７３を中心として回動する。相反方向とは、第１支持体７６と第２支持体７７とが互いに離れる方向と、互いに近づく方向とが含まれる。この構成でも、イメージセンサユニット７０は、入射角θを調節できる。結果として、イメージセンサユニット７０は、図３に示すイメージセンサユニット３０と同様の効果を奏する。
【産業上の利用可能性】
【００６９】
以上のように、本発明に係る画像読取装置は、イメージスキャナや、複写機や、ファクシミリや、文字認識装置などの被読取媒体をイメージセンサにより読み取りを行うものに有用であり、特に被読取媒体のエッジを検出しつつ、裏写りを低減することに適している。
【符号の説明】
【００７０】
１０  画像読取装置
１１  搬送装置
１２、１３  搬送ローラ
１４  搬送ローラ用モータ
１７  モータ駆動回路
１８  光源駆動回路
１９  制御装置
２０〜７０  イメージセンサユニット
２１ａ  第１フレーム
２１ｂ  第２フレーム
２２ａ  第１透過板
２２ｂ  第２透過板
２３  光源ユニット
２３ａ  Ｒ光源
２３ｂ  Ｇ光源
２３ｃ  Ｂ光源
２３ｄ、５１  プリズム
２４、３１、７１  反射板
２４ａ、７２  鏡面（反射部）
２４ｂ、６３、７３  入射部
２４ｃ、２４ｄ、２７ｃ、２７ｄ  端部
２５、７４  レンズ
２６、７５  イメージセンサ
２７ａ  第１遮蔽板（遮蔽手段）
２７ｂ  第２遮蔽板（遮蔽手段）
２８ａ  白基準板（色基準手段）
２８ｃ  白基準板用モータ
３１ａ、２８ｂ  回動軸
３２  反射板回動用モータ
４１、４１Ａ  反射板用プリズム
５２  境界面（反射部）
６１  湾曲型反射板
６２  湾曲鏡面（反射部）
７６  第１支持体
７７  第２支持体
Ａ、Ｄ、Ｄ１  距離
Ｃ  寸法
Ｎ  法線
Ｐ  原稿
Ｐ１  印字面
Ｒ  搬送路
Ｔ１、Ｔ２  光
Ｔ３  外乱光
Ｘ  誤差想定寸法
Ｙ１、Ｙ２、Ｙ３  矢印
θ  入射角
【図１】
0005548017.tif 000002
【図２】
0005548017.tif 000003
【図３】
0005548017.tif 000004
【図４】
0005548017.tif 000005
【図５】
0005548017.tif 000006
【図６】
0005548017.tif 000007
【図７】
0005548017.tif 000008
【図８】
0005548017.tif 000009